(57)【特許請求の範囲】
【請求項１】
４辺に壁がありこの壁に囲まれた領域にカセッテを収納するホルダ本体と、
このホルダ本体の平行な２辺に設置された各１個の固定レバーと、
前記ホルダ本体に、前記各固定レバーに対応して設置され、前記ホルダ本体に設けられた回転軸の周りに回転可能の回転レバーと、
前記各回転レバーに対応して設けられ、前記回転レバーがそれに対応する固定レバーから遠い位置に回動したときに前記ホルダ本体から外方に向けて進出し、前記回転レバーがそれに対応する固定レバーに近い位置に回動したときに前記ホルダ本体内に退入する方向に移動するストッパと、
１対の前記ストッパを連動して移動させるリンクと、
前記回転レバーをそれに対応する前記固定レバーから離隔する方向に前記回転レバー、前記ストッパ又は前記リンクを付勢する付勢部材と、
を有することを特徴とするカセッテホルダ。
【請求項２】
ベッドの床部の下方に設けられた２個の平行なガイドレールと、
このガイドレールに沿って挿入されるカセッテホルダと、
を有し、
前記カセッテホルダは、
４辺に壁がありこの壁に囲まれた領域にカセッテを収納するホルダ本体と、
このホルダ本体の前記ガイドレールに平行な２辺に設置された各１個の固定レバーと、
前記ホルダ本体に、前記各固定レバーに対応して設置され、前記ホルダ本体に設けられた回転軸の周りに回転可能の回転レバーと、
前記各回転レバーに対応して設けられ、前記回転レバーがそれに対応する固定レバーから遠い位置に回動したときに前記ホルダ本体から前記ガイドレールに向けて進出し、前記回転レバーがそれに対応する固定レバーに近い位置に回動したときに前記ガイドレールから離隔する方向に移動するストッパと、
１対の前記ストッパを連動して移動させるリンクと、
前記回転レバーを対応する前記固定レバーから離隔する方向に前記回転レバー又は前記ストッパを付勢する付勢部材と、
を有することを特徴とする医療用ベッド。
【発明の詳細な説明】
【技術分野】
【０００１】
本発明は、医療用ベッドの下方にベッド床部に平行に配置されて、上方から患者に対して照射されたＸ線を撮像するカセッテを保持するカセッテホルダ及びこのカセッテホルダが装着される医療用ベッドに関する。なお、医療用ベッドとは、文字通りのベッドの他に、病院等でＸ線撮影時に使用されるストレッチャー、診察台及び検査台等も含む。
【背景技術】
【０００２】
医療用ベッドに横たわる患者に対し、Ｘ線撮影する場合は、この医療用ベッドの下方に、ベッド床部に平行にカセッテを配置し、ベッド上方から、Ｘ線を患者に照射し、患者を透過したＸ線をカセッテにて画像として検出する。
【０００３】
医療用ベッドは、展伸機能付きのベッドが多い。この展伸機能とは、ベッドの患者が横たわる床部の全体が床部の長手方向中央近傍を支点として回動して、頭が低く足が高くなるトレンデレンバーグの状態と、頭が高く足が低くなるリバーストレンデレンバーグの状態とをとる機能のことである。このように、床部全体が傾動するため、カセッテを収納するカセッテホルダを床部を支持するフレームに固定しないと、カセッテホルダ及びそこに収納されたカセッテが、展伸時に落下する虞があり、危険である。
【０００４】
特許文献１には、医療用ベッドの下方にて、カセッテホルダを複数箇所でベッドフレームに固定する医療用ベッドが開示されている。また、特許文献２及び３には、駆動機構を使用して、カセッテホルダをベッドの下方に挿入する医療用ベッドが開示されている。
【先行技術文献】
【特許文献】
【０００５】
【特許文献１】特開平３−７７５４３号公報
【特許文献２】特表平１−５０３２０２号公報
【特許文献３】実開平１−１３０３１３号公報
【発明の概要】
【発明が解決しようとする課題】
【０００６】
しかしながら、特許文献１に開示された医療用ベッドは、カセッテホルダをベッドフレームに固定するタイプであるため、カセッテをカセッテホルダに出し入れする際に、ベッドの床部上の患者は、カセッテの出し入れに邪魔にならないように、移動する必要がある。
【０００７】
また、特許文献２及び３に開示された医療用ベッドは、駆動機構を使用してカセッテを収納したカセッテホルダを床部の下方に装着するため、その駆動機構のために、ベッドの重量が重くなると共に、高価なものとなってしまうという問題点がある。
【０００８】
本発明はかかる問題点に鑑みてなされたものであって、駆動機構を設けることなく、カセッテホルダをベッド床部の下方の所定の装着位置に出し入れすることができ、そのベッド床部下方の所定の装着位置で固定することができ、また、前記装着位置から容易に離脱させることができるカセッテホルダ及び医療用ベッドを提供することを目的とする。
【課題を解決するための手段】
【０００９】
本発明に係るカセッテホルダは、
４辺に壁がありこの壁に囲まれた領域にカセッテを収納するホルダ本体と、
このホルダ本体の平行な２辺に設置された各１個の固定レバーと、
前記ホルダ本体に、前記各固定レバーに対応して設置され、前記ホルダ本体に設けられた回転軸の周りに回転可能の回転レバーと、
前記各回転レバーに対応して設けられ、前記回転レバーがそれに対応する固定レバーから遠い位置に回動したときに前記ホルダ本体から外方に向けて進出し、前記回転レバーがそれに対応する固定レバーに近い位置に回動したときに前記ホルダ本体内に退入する方向に移動するストッパと、
１対の前記ストッパを連動して移動させるリンクと、
前記回転レバーをそれに対応する前記固定レバーから離隔する方向に前記回転レバー、前記ストッパ又は前記リンクを付勢する付勢部材と、
を有することを特徴とする。
【００１０】
本発明に係る医療用ベッドは、
ベッドの床部の下方に設けられた２個の平行なガイドレールと、
このガイドレールに沿って挿入されるカセッテホルダと、
を有し、
前記カセッテホルダは、
４辺に壁がありこの壁に囲まれた領域にカセッテを収納するホルダ本体と、
このホルダ本体の前記ガイドレールに平行な２辺に設置された各１個の固定レバーと、
前記ホルダ本体に、前記各固定レバーに対応して設置され、前記ホルダ本体に設けられた回転軸の周りに回転可能の回転レバーと、
前記各回転レバーに対応して設けられ、前記回転レバーがそれに対応する固定レバーから遠い位置に回動したときに前記ホルダ本体から前記ガイドレールに向けて進出し、前記回転レバーがそれに対応する固定レバーに近い位置に回動したときに前記ガイドレールから離隔する方向に移動するストッパと、
１対の前記ストッパを連動して移動させるリンクと、
前記回転レバーを対応する前記固定レバーから離隔する方向に前記回転レバー又は前記ストッパを付勢する付勢部材と、
を有することを特徴とする。
【発明の効果】
【００１１】
本発明によれば、１対の固定レバーと回転レバーとを握った状態で、カセッテホルダをガイドレールに沿ってベッド床部の下方に挿入し、その後、前記固定レバーと回転レバーの握り状態を解除すると、付勢部材により、前記回転レバーは前記固定レバーから離隔する方向に移動し、回転レバーが固定レバーから離隔すると、ストッパがホルダ本体から外方に進出して、ストッパがベッド床部の下方に設けられたガイドレールを押圧する。これにより、カセッテホルダがガイドレールに固定される。カセッテを交換する場合は、固定レバーと回転レバーとを握り、回転レバーを固定レバーに向けて回動させることにより、ストッパがガイドレールから離隔してホルダ本体に向けて退入するので、カセッテホルダを、ベッドの床部の下方からガイドレールに沿って引き出すことができる。よって、カセッテホルダに固定レバー、回転レバー及びストッパを設けるだけで、カセッテホルダをベッド床部の下方の所定位置に、任意に固定し、離脱させることができる。
【図面の簡単な説明】
【００１２】
【図１】本発明の実施形態に係るカセッテホルダの上面を示す斜視図である。
【図２】医療用ベッドの床部の下方に挿入されるカセッテホルダを示す斜視図である。
【図３】カセッテホルダの構造を示す図であり、（ａ）は全体図、（ｂ）はレバーを拡大して示す図である。
【図４】同じく、カセッテホルダの構造を示す図であり、（ａ）は全体図、（ｂ）はレバーを拡大して示す図である。
【図５】医療用ベッドに挿入されたカセッテホルダを示す斜視図である。
【図６】レバー２１，２２近傍の拡大図である。
【発明を実施するための形態】
【００１３】
以下、本発明の実施の形態について、添付の図面を参照して具体的に説明する。図１は、本発明の実施形態に係るカセッテホルダの上面を示す斜視図、図２は、医療用ベッドの床部の下方に挿入されるカセッテホルダを示す斜視図、図３及び図４はカセッテホルダの構造を示す図であり、（ａ）は全体図、（ｂ）はレバーを拡大して示す図、図５は、医療用ベッドに挿入されたカセッテホルダを示す斜視図、図６はレバー２１，２２近傍の拡大図である。
【００１４】
図２に示すように、医療用ベッド１０は、患者が横たわる床部１１との下方に、カセッテホルダ１が挿入される装着部１２が設けられている。図５はこの床部１１をベッドフレーム１０に対して持ち上げて、装着部１２を示す図である。この図５に示すように、装着部１２には、カセッテホルダ１の挿入方向６に平行に延びるガイドレール１５が設置されている。このガイドレール１５は、横断面形状がＬ字型をなし、ベッドフレーム１０に固定されており、ベッドの両側に１対配置されている。
【００１５】
図１に示すように、カセッテホルダ１は、そのホルダ本体２が、矩形の底板の４辺に縦壁２ａ、２ｂ、２ｃ、２ｄを設けてカセッテをこの縦壁２ａ、２ｂ、２ｃ、２ｄに囲まれた空間に嵌合して収納できるようになっている。このカセッテホルダ１の長手方向の一端部（挿入方向６の後端部）には、着脱自在のカバー３が設けられており、このカバー３内に、後述するレバー及びリンク等の固定手段が設けられている。そして、このカバー３の一側面が、カセッテを嵌合する一辺２ａとなっている。
【００１６】
カセッテホルダ１のホルダ本体２における挿入方向６に平行の２辺には、ベッドにおけるカセッテホルダ１の位置を確認するためのセンターマーク４が設置されている。また、このホルダ本体２における挿入方向６に平行の２辺には、夫々２個のローラ５が挿入方向６に垂直の回転軸の周りに回転可能に設置されており、このローラ５は、ガイドレール１５のＬ字型の立面にガイドされつつ、Ｌ字型の底面上を転動するようになっている。これにより、カセッテホルダ１は、ローラ５がガイドレール１５に案内されてガイドレール１５を転動し、このガイドレール１５に沿って挿入方向６に往復移動することができる。
【００１７】
図１に示すように、カセッテホルダ１における挿入方向６の後端部には、カバー３が配置された領域に、本実施形態のホルダ固定手段が設置されている。即ち、ホルダ本体２の幅方向の両端部（挿入方向６に垂直の方向の両端部）に夫々固定レバー２１，３１と回転レバー２２，３２とストッパ２５，３５が、ホルダ本体２から外方に突出するようにして配置されている。図３及び図４に示すように、固定レバー２１，３１は、その長手方向を挿入方向６に垂直にしてホルダ本体２に固定されている。回転レバー２２，３２は、ホルダ本体２にその軸方向を垂直にして設置された回転軸２３，３３に、夫々回転可能に支持されている。ストッパ２４，３４は、同様に回転軸２３，３３に、夫々回転可能に支持されており、回転レバー２２，３２とストッパ２４，３４は、夫々、相互に固定的に設けられており、一体的な構造を有する。従って、回転レバー２２，３２とストッパ２４，３４とは、回転軸２３，３３を中心として、同時に同一方向に回転する。各ストッパ２４，３４の先端には、接触部２５，３５が設けられていて、ストッパ２４，３４が外方に回転すると、この接触部２５，３５ガイドレール１５に接触して、接触部２５，３５とガイドレール１５との摩擦力により、カセッテホルダ１をガイドレール１５に係止するようになっている。この接触部２５，３５はその表面にゴム系材料が被覆されており、ガイドレール１５との間の摩擦力を高めている。これにより、カセッテホルダ１とガイドレール１５との間の係止力、即ち、ブレーキ力が向上する。
【００１８】
図６に示すように、一方の回転レバー２２の回転軸２３には、回転レバー２２及びストッパ２４の他に、連結片２６が回転可能に支持されており、この連結片２６は回転レバー２２及びストッパ２４と一体的に固定されており、同時に同一方向に回転するようになっている。また、他方のストッパ３４の中央にも、連結片３６が固定されている。そして、連結片３６の先端部と、連結片２６の回転軸２３から離隔した方の端部との間に、連結棒４１が連結片２６，３６に対して回転可能に連結されている。これにより、ストッパ２４とストッパ３４とは、連動して回転する。即ち、ストッパ２４がその接触部２５がガイドレール１５に接触する方向に回転したときは、ストッパ３４もその接触部３５がガイドレール１５に接触する方向に回転し、ストッパ２４がその接触部２５がガイドレール１５から離隔する方向に回転したときは、ストッパ３４もその接触部３５がガイドレール１５から離隔する方向に回転する。
【００１９】
また、図３，図４，図６に示すように、圧縮バネ２７がストッパ２４をガイドレール１５に向けて押圧する方向に付勢している。これにより、常時は、ストッパ２４，３４の接触部２５，３５がガイドレール１５に接触するようになっている。
【００２０】
次に、上述のごとく構成された本実施形態のカセッテホルダ及び医療用ベッドの動作について説明する。先ず、図２に示すように、未使用のカセッテを収納したカセッテホルダ１を、ベッド１０の床部１１の下方の装着部１２内に挿入する。このとき、図５に示すように、カセッテホルダ１のローラ５がガイドレール１５の断面Ｌ字形状の立面にガイドされて底面水平部分上を転動する。これにより、カセッテホルダ１は、ガイドレール１５に案内されて、床部１１の下方の装着部１２まで挿入される。このカセッテホルダ１の挿入に際し、操作者は、固定レバー２１と回転レバー２２とを握った状態で、カセッテホルダ１を移動させる。このように、固定レバー２１と回転レバー２２とを握ることにより、図３に示すように、ストッパ２４の接触部２５がガイドレール１５から離隔した状態になる。また、カセッテホルダ１の一側に配置された固定レバー２１と回転レバー２２とを握るだけで、カセッテホルダ１の他側に配置された固定レバー３１と回転レバー３２も、連結棒４１を介して、同時に接近した状態になり、そのストッパ３４の接触部３５もガイドレール１５から離隔する。このように、カセッテホルダ１を移動させる場合には、固定レバー２１と回転レバー２２とを握って、ストッパ２４，３４の接触部２５．３５をガイドレール１５から離隔させておく。なお、固定レバー２１及び回転レバー２２を握る代わりに、固定レバー３１及び回転レバー３２を握ってもよいことは勿論である。
【００２１】
そして、カセッテホルダ１が所定の装着位置まで挿入されたときに、固定レバー２１及び回転レバー２２の握りを解除する。そうすると、図４に示すように、圧縮バネ２７の付勢力により、ストッパ２４がその接触部２５がガイドレール１５に接触する方向に回転し、連結棒４１により、他方のストッパ３４もその接触部３５がガイドレール１５に接触する方向に回転する。これにより、ストッパ２４，３４の接触部２５，３５がガイドレール１５に接触し、圧縮バネ４１により、接触部２５，３５がガイドレール１５を押圧するので、接触部２５，３５とガイドレール１５との摩擦力により、カセッテホルダ１にはブレーキ力が作用し、所定の装着位置に止まる。よって、ベッドが移動し、又は振動しても、カセッテホルダ１の位置は変動しない。また、ベッドの展伸動作により、ベッドの床部全体が、足側が上方になるように回動し、又は頭側が上方になるように回動しても、カセッテホルダ１が移動してしまうことはない。
【００２２】
なお、ガイドレール１５をベッドの床部１１のほぼ全長にわたって設けておくことにより、カセッテホルダ１を床部１１の任意の位置に装着することができ、患者の全身にわたって、Ｘ線撮影することが可能となる。
【００２３】
なお、上記実施形態は、レバー及びストッパ等をカセッテホルダ１の後端部に設けたが、これらの部材の位置は、任意であり、ベッド構造の都合等により、カセッテホルダ１の任意の位置に設けることができる。
【符号の説明】
【００２４】
１：カセッテホルダ
２：ホルダ本体
３：カバー
４：センターマーク
５：ローラ
１５：ガイドレール
２１，３１：固定レバー
２２，３２：回転レバー
２３，３３：回転軸
２４，３４：ストッパ
２５，３５：接触部
４１：連結棒
【図１】
0005661603.tif 000002
【図２】
0005661603.tif 000003
【図３】
0005661603.tif 000004
【図４】
0005661603.tif 000005
【図５】
0005661603.tif 000006
【図６】
0005661603.tif 000007